(57)【要約】      （修正有）【課題】犬をつれて散歩する人の安全を確保でき、かつ強度特性も向上した引張癖のある犬対応の散歩ベルトを提供する。【解決手段】腰ベルト１、腰当パット、リード取付フック、ショルダーベルト４で構成され、犬の引っ張り力から散歩者の負荷を軽減し、更にリード取付フックとリード７との間にリード切離安全装置５を装備して道路や踏切に於ける犬の飛び出し事故に対する散歩者の安全対策をし、更に緩衝装置６にワイヤータイプのストッパーを挿入する事で、衝撃に対する強度が強化され、更に横からの曲げに対しても変形しない構造となる。【選択図】図２
0003151519.tif 000002
【実用新案登録請求の範囲】
【請求項１】
腰ベルト１後方に腰当パット２を装備し、また腰ベルト１前方にはリード取付フック３を備えリード７が接続できるようになっており、またリード取付フック３先端部にはショルダーベルト４が装備され、更にリード取付フック３とリード７との間に対しリード切離安全装置５を装備した引張犬散歩ベルト。
【請求項２】
請求項１に記載された引張犬散歩ベルトにおいて、リード７に対し緩衝装置６を装備している引張犬散歩ベルト。
【請求項３】
請求項２に記載された引張犬散歩ベルトにおいて、緩衝装置６の内部にワイヤータイプのストッパー６Ａが挿入されている引張犬散歩ベルト。
【請求項４】
請求項１に記載された引張犬散歩ベルトにおいて、腰ベルト１、腰当パット２及びリード取付フック３、ショルダーベルト４、又はリード７及びリード切離安全装置５についても一体型として製造することができる引張犬散歩ベルト
【考案の詳細な説明】
【技術分野】
【０００１】
本考案は、犬との散歩時に於いて、引っ張り癖のある犬に対応する為に、散歩者に装着するための散歩ベルトで、腰ベルト、腰パット、リード取付フック、リード切離安全装置、緩衝装置及びリードで構成されている引張犬散歩ベルトに関するものである。
【背景技術】
【０００２】
従来、犬散歩用ベルトは、犬の散歩者の負担を軽減するために、多種考案されてきました。
【０００３】
特許第３８５２０５４号における引っ張り癖犬対応散歩ベルトは、腰ベルトに腰当パットを挿入し犬の引っ張り力から腰を守り、またフックホルダーを腰ベルト前方に組み合わせ犬の急激な左右の引っ張り力で散歩者の身体バランスが崩れないようにすると共に、メインリードからの引っ張り支点をフックホルダー腰前方約１２ｃｍとして、腰ベルト及びショルダーベルトに力を均等に分散させる事で、犬の引っ張り力を身体全体で受け止め事ができる。
【先行技術文献】
【特許文献】
【０００４】
【特許文献１】特許第３８５２０５４号公報
【考案の開示】
【考案が解決しようとする課題】
【０００５】
しかし、上述した特許文献の引っ張り癖犬対応散歩ベルトは犬との散歩において、散歩者における犬の引っ張り力の身体に対する負荷対策は取っているものの、鉄道踏切において、犬が飛び出し散歩者の手に巻付けたリードが外れず、散歩者まで巻き込まれる死亡事故が起きている以上、引っ張り癖犬対応散歩ベルトにおいても身体に装着しているため同じ様に引き込まれる可能性が高く、緊急時にリードを切り離せるような安全対策を取らなければならない。
【０００６】
また緩衝バネについてもバネの内部に挿入されたストッパーが鋼鉄針金で製作されているため、引っ張り力に対しては有効であるが強度不足であり、横からの衝撃が働いた場合はストッパーが変形してしまい緩衝機能を失ってしまう。
【０００７】
リードについてはメインリードとコントロールリードが装備されており、メインリードを使って引っ張り癖犬をコントロールしょうとすると、リード緩衝バネに急激な負荷が掛かり、緩衝バネ自体が伸びきり破損する可能性があるため、これを防ぐ目的でコントロールリードにより引っ張り癖犬のコントロールを行うが構造が複雑になり、更に散歩者の安全対策においても構造的に弊害を生じている。  
【０００８】
本考案は上述した、引っ張り癖対応散歩ベルトにおける問題点に対して、解決することができる、引張犬散歩ベルトを提供することである。
【課題を解決するための手段】
【０００９】
上述の目的を達成する本考案の引張犬散歩ベルトは、腰ベルト後方に腰当パットを装備し、引っ張り犬の引っ張り力を腰パットで受け止め、散歩者の腰に掛る負担を軽減し、更に腰ベルト前方にはリード取付フックを装備し、腰ベルトよりリード取付フック先端１７ｃｍの先端にショルダーベルトが装備され、腰ベルト及びショルダーベルトに掛る犬の引っ張り力を均等に分散することを目的としている。
更に安全対策として、リード取付フックとリードとの間にリード切離安全装置を装備し、犬との散歩中に引っ張り犬が道路や鉄道踏切において急に飛び出すことによって、散歩者が交通事故に巻き込まれそうになった場合には、リード切離装置を作動させ犬の首輪に接続されたリードを切り離し散歩者の安全を確保する。
【００１０】
またリードに対して緩衝装置を装備することによって、引っ張り犬の急激な引っ張りに対し散歩者に掛る衝撃を和らげる事を目的としているが、引っ張り癖犬対応散歩ベルトに装備されている緩衝バネは、内部に鋼鉄針金製のストッパーが挿入されていて、犬の引っ張り力に対する耐久性が低く、横からの衝撃に対しても変形してしまい緩衝機能を失ってしまうが、これに対し新しく開発された緩衝装置は内部にワイヤータイプのストッパーが挿入されており、犬の引っ張り力に対する強度も大幅に向上し、横からの衝撃に対してもワイヤータイプであるため変形することなくスムースな使用ができる。
【００１１】
引っ張り癖犬対応散歩ベルトにおいてはメインリードとコントロールリードが装備されているが、引張犬散歩ベルトに装備されている緩衝装置は、犬の引っ張り力に対する衝撃に十分な耐久性を持っており、散歩者がメインリード使って思い切り犬を引っ張りコントロールしても緩衝装置が壊れる事がないためコントロールリードが必要なく、道路や鉄道踏切における犬の飛び出しによる散歩者の危険防止のためリード切離安全装置を作動させメインリードを切り離す際に、リード取付フックに対してコントロールリードが接続されているため、切り離せない弊害が生るが、コントロールリードを取り外す事によって弊害は解消される。
【考案の効果】
【００１２】
以上のように本考案の引張犬散歩ベルトは構成されているので、犬との散歩において、引っ張り犬に引っ張られても腰当パット付き腰ベルト、及びショルダーベルトに引っ張り力が分散されることにより散歩者に掛る負荷が軽減され、また犬との散歩中に引っ張り犬が道路や鉄道踏切において急に飛び出すことによって、散歩者が交通事故に巻き込まれそうになった場合にはリード切離装置を作動させる事で、犬の首輪に接続されたリードを切り離し散歩者の身体の安全を確保する。
更に強化された緩衝装置の開発によりコントロールリードを取り外すことで構造が簡単になり、更にリード切離安全装置に対する弊害が解消される。
これにより効果が有効となることで、全国にいる引っ張り犬との散歩で苦労している散歩者も、楽に安全な散歩ができるようになる。
【考案を実施するための最良の形態】
【００１３】
以下、本考案の実施形態を図に基づいて説明する。
【００１４】
図１は、この考案の実施形態に従った引張犬散歩ベルトを示す斜視図である。
【００１５】
図１に示すように、引張犬散歩ベルトは、腰ベルト１後方に腰当パット２が挿入され、更に腰ベルト１前方には長さが約１７ｃｍ程度のリード取付フック３が取り付けられ先端にはショルダーベルト４が装備されている。
更にリード取付フック３に対してリード切離安全装置５を接続し、緩衝装置６を連結してリード７を接続している。
またリード切離安全装置５の構造は、約２０ｃｍ程度の長さのベルトにリード切離・ファスニング５Ａが配置され、散歩者の危険を回避する場合は、このリード切離・ファスニング５Ａをワンタッチでプッシュする事によりリード７がリリースされる。
【００１６】
図２は、この考案の実施形態に従った引張犬散歩ベルトを散歩者１００が装着して、犬２００に引っ張られて散歩している状態を示す斜視図である。
【００１７】
図１に示す引張犬散歩ベルトを散歩者１００の身体に装着する際は、腰ベルト１を散歩者１００の腰にセットし腰ベルト・ファスニング１Ａにより接続する。
更にショルダーベルト４を左後ろより右肩上方を通し前方にあるショルダーベルト・ファスニング４Ａにより接続して散歩者１００の身体への装着を行い、リード７先端にあるリードフック７Ａによりリード７を犬２００の首輪に接続して引っ張り犬２００との散歩を行う。
【００１８】
図３は、この考案の実施形態に従った引張犬散歩ベルトに装備されている緩衝装置６の内部を示す斜視図である。
【００１９】
図３に示す緩衝装置６は、犬２００の大きな引っ張り力が掛っても破損しないように内部にストッパー６Ａを備え、またこのストッパー６Ａはワイヤータイプであるため大きな引っ張り力に対する耐久性が強く、更に横からの衝撃にも変形しない特徴を持っている。
【実施例】
【００２０】
過去にいくつもの犬用散歩ベルトが考案されているが、多様な問題点があり一般に普及するまでに至っていない。
【産業上の利用可能性】
【００２１】
ペットブームという中で引っ張り癖のある犬を飼っている家庭は全国に多数いる。その中でも犬に引っ張られての散歩が余りにも大変という理由で散歩に困っている方や、自分の健康のためのウォーキングを犬との散歩に託して行うに方に多いに普及する可能性があり、また構造が簡単なため製作費が安く、低価格で市場に提供できる事からも普及する可能性はある。
【図面の簡単な説明】
【００２２】
【図１】本考案の実施形態に従った、引張犬散歩ベルトを示す外観斜視図である。
【図２】本考案の実施形態に従った、引張犬散歩ベルトを散歩者１００に装着して、引っ張る犬２００に引っ張られて散歩をしている状態を示す斜視図である。
【図３】本考案の実施形態に従った、引張犬散歩ベルトに装備される緩衝装置６及び内部に挿入されるストッパー６Ａを示す斜視図である。
【符号の説明】
【００２３】
１          腰ベルト
１Ａ        腰ベルト・ファスニング
２          腰当パット
３          リード取付フック
４          ショルダーベルト
４Ａ        ショルダーベルト・ファスニング
５          リード切離安全装置
５Ａ        リード切離・ファスニング
６          緩衝装置
６Ａ        ストッパー
７          リード
７Ａ        リードフック
１００          散歩者
２００          犬    
【図１】
0003151519.tif 000003
【図２】
0003151519.tif 000004
【図３】
0003151519.tif 000005